(57)【要約】【課題】開口を金属製の羽根で遮蔽するものであり、所望のシャッター速度を得ることができ、耐久性が高い羽根動作装置を得る。【解決手段】羽根動作装置１は、開口２Ａを有するベース部材２と、ベース部材２上に摺動自在に配置される羽根部材３（３Ａ，３Ｂ）と、ベース部材２に装備される電磁アクチュエータ４と、電磁アクチュエータ４の回動を羽根部材３（３Ａ，３Ｂ）に伝動する伝動部材５とを備え、羽根部材３（３Ａ，３Ｂ）は、開口２Ａを遮蔽する金属製の羽根３０と、羽根３０を保持する樹脂製の羽根保持部３１とを備え、羽根保持部３１は、ベース部材上に設けられるガイドピン２Ｂ又は伝動部材５に設けられる連結ピン５Ａに係合する長孔３１Ｂ，３１Ｃを備え、長孔３１Ｂ，３１Ｃの周縁に厚肉部３１Ｄを備える。【選択図】図３
2017173753.tif 000002
【特許請求の範囲】
【請求項１】
開口を有するベース部材と、
前記ベース部材上に摺動自在に配置される羽根部材と、
前記ベース部材に装備される電磁アクチュエータと、
前記電磁アクチュエータの回動を前記羽根部材に伝動する伝動部材とを備え、
前記羽根部材は、前記開口を遮蔽する金属製の羽根と、該羽根を保持する樹脂製の羽根保持部とを備え、
前記羽根保持部は、長孔を備え、前記長孔の周縁に厚肉部を備えることを特徴とする羽根動作装置。
【請求項２】
前記長孔は、前記羽根部材の摺動方向に沿って延設され、前記ベース部材に設けられるガイドピンに係合する第１の長孔と、前記第１の長孔の延設方向に交差した方向に延設され、前記伝動部材の連結ピンに係合する第２の長孔を備えることを特徴とする請求項１記載の羽根動作装置。
【請求項３】
前記羽根は、黒色反射防止処理が施されていることを特徴とする請求項１又は２記載の羽根動作装置。
【請求項４】
前記羽根部材は、第１の羽根部材と第２の羽根部材が互いに逆向きに略往復直線運動することを特徴とする請求項１〜３のいずれか１項記載の羽根動作装置。
【請求項５】
請求項１〜４のいずれか１項記載の羽根動作装置を備える赤外線カメラ。
【発明の詳細な説明】
【技術分野】
【０００１】
本発明は、羽根動作装置に関するものである。
【背景技術】
【０００２】
羽根動作装置は、シャッター、絞り、絞り兼用シャッター、フィルタなどとして、カメラなどの電子機器に装備されている。羽根動作装置は、開口を有するベース部材（地板）を備え、単数又は複数の羽根をベース部材に摺動自在に配置し、ベース部材に配備した電磁駆動のアクチュエータによって駆動される駆動レバーを羽根に連結し、アクチュエータの駆動でベース部材上の羽根を摺動させて、ベース部材の開口上に羽根を進入・退避させるものである（下記特許文献１参照）。
【先行技術文献】
【特許文献】
【０００３】
【特許文献１】特開２００９−２１７１９０号公報
【発明の概要】
【発明が解決しようとする課題】
【０００４】
従来の羽根動作装置は、羽根を金属製の薄板で構成している。特に、赤外線カメラに用いられるシャッターユニットでは、キャリブレーションを行う必要があるので、熱の均一性が高い金属材料（一般にはアルミ）の羽根が用いられている。
【０００５】
一方、羽根動作装置は、シャッター速度を高める必要があるので、比重の大きい金属製の羽根を用いる際には、厚さを極力薄くして軽量化を図ることがなされている。このような薄板状の金属製羽根を用いた羽根動作装置を長時間使用すると、羽根と駆動レバーとの連結部やベース部材に設けられるガイドピンとの係合部に形成される長孔の縁などに裂け目が生じ易くなり、良好な耐久性が得られない問題がある。
【０００６】
本発明は、このような問題に対処することを課題としており、開口を金属製の羽根で遮蔽するものであり、所望のシャッター速度を得ることができ、耐久性が高い羽根動作装置を得ること、が本発明の課題である。
【課題を解決するための手段】
【０００７】
このような課題を解決するために、本発明による羽根動作装置は、以下の構成を具備するものである。
【０００８】
開口を有するベース部材と、前記ベース部材上に摺動自在に配置される羽根部材と、前記ベース部材に装備される電磁アクチュエータと、前記電磁アクチュエータの回動を前記羽根部材に伝動する伝動部材とを備え、前記羽根部材は、前記開口を遮蔽する金属製の羽根と、該羽根を保持する樹脂製の羽根保持部とを備え、前記羽根保持部は、長孔を備え、前記長孔の周縁に厚肉部を備えることを特徴とする羽根動作装置。
【図面の簡単な説明】
【０００９】
【図１】本発明の実施形態に係る羽根動作装置の全体構成（羽根全開状態）を示した説明図である。
【図２】本発明の実施形態に係る羽根動作装置の全体構成（羽根全閉状態）を示した説明図である。
【図３】本発明の実施形態に係る羽根動作装置における羽根部材を示した説明図である（（ａ）が第１の羽根部材を示し、（ｂ）が第２の羽根部材を示し、（ｃ）がＡ−Ａ断面図を示している。）。
【図４】本発明の実施形態における羽根動作装置における電磁アクチュエータの構成例を示した説明図である。
【図５】本発明の実施形態に係る羽根動作装置を備えるカメラ（赤外線カメラ）を示した説明図である。
【発明を実施するための形態】
【００１０】
以下、図面を参照して、本発明の実施形態を説明する。図１及び図２は、本発明の実施形態に係る羽根動作装置の全体構成を示している（図１は開口が全開の状態、図２は開口が全閉の状態を示している。）。
【００１１】
羽根動作装置１は、ベース部材２、羽根部材３（３Ａ，３Ｂ）と、電磁アクチュエータ４と、伝動部材５とを備えている。ベース部材２（地板）は、開口２Ａを有し、ベース平面上にて羽根部材３（３Ａ，３Ｂ）を摺動自在に支持している。
【００１２】
ベース部材２上に摺動自在に配置される羽根部材３（３Ａ，３Ｂ）は、ここでは、２枚１組の羽根部材３（３Ａ，３Ｂ）を示しているが、羽根部材３の数は、１枚であっても、３枚以上であってもよい。ベース部材２には、電磁アクチュエータ４が装備されている。電磁アクチュエータ４には、電磁アクチュエータ４の回動を羽根部材３（３Ａ，３Ｂ）に伝える伝動部材５が設けられている。ベース部材２には、ベース面上にガイドピン２Ｂが立設されている。また、伝動部材５には、連結ピン５Ａが立設されている。
【００１３】
図３に示すように、羽根部材３は、第１の羽根部材３Ａ（図３（ａ）参照）と第２の羽根部材３Ｂ（図３（ｂ）参照）を備えている。羽根部材３（３Ａ，３Ｂ）は、開口２Ａを遮蔽する金属製の羽根３０と、羽根３０を保持する樹脂製の羽根保持部３１とを備えている。図示の例では、羽根３０は係合孔３０Ａを有しており、この係合孔３０Ａに羽根保持部３１の係合突起３１Ａを係合させることで、羽根３０は羽根保持部３１に保持されているが、これに限らず、金属製の羽根３０をインサート成形などで樹脂製の羽根保持部３１と一体にすることもできる。
【００１４】
金属製の羽根３０は、例えば、熱伝導性のよいアルミ板などで形成される。また、羽根３０は、黒色反射防止処理が施されたものなどにすることができる。羽根３０は、開口２Ａに徐々に進入することで、開口２Ａの透過面積（光通過面積）を調整し得るものであり、図示の例では、２枚の羽根３０の重なりによって、開口２Ａを全閉状態にできる形状になっている。
【００１５】
樹脂製の羽根保持部３１は、羽根部材３の摺動方向に沿って延設される第１の長孔３１Ｂと、第１の長孔３１Ｂの延設方向に対して交差する方向に延設される第２の長孔３１Ｃを備えている。第１の長孔３１Ｂは、ベース部材２に設けられるガイドピン２Ｂに係合しており、第２の長孔３１Ｃは、伝動部材５の連結ピン５Ａに係合している。
【００１６】
第１及び第２の長孔３１Ｂ，３１Ｃの周縁には、厚肉部３１Ｄが設けられている。厚肉部３１Ｄは、図３（ｃ）に示すように、第１及び第２の長孔３１Ｂ，３１Ｃの周縁において、羽根保持部３１の厚さをΔｔだけ厚くした部位であり、これにより、長孔３１Ｂ，３１Ｃの孔高さｔ２が羽根保持部３１の厚さｔ１よりΔｔだけ高くなっている。このような厚肉部３１Ｄは、長孔３１Ｂ，３１Ｃの全周に設けても良いし、両端部などに部分的に設けても良い。
【００１７】
羽根動作装置１は、電磁アクチュエータ４を回動することで、羽根部材３（３Ａ，３Ｂ）を図１に示した全開状態から図２に示した全閉状態に、或いはその逆に摺動させる。図示の例では、電磁アクチュエータ４には一対の連結ピン５Ａが１８０°の角度で配置されており、一方の連結ピン５Ａが第１の羽根部材３Ａにおける長孔３１Ｃに係合し、他方の連結ピン５Ａが第２の羽根部材３Ｂにおける長孔３１Ｃに係合して、連結ピン５Ａを１８０°の角度範囲で双方向回動させることで、第１の羽根部材３Ａと第２の羽根部材３Ｂが互いに逆向きに略往復直線運動する。
【００１８】
このような羽根動作装置１は、金属製の羽根３０によって開口２Ａを遮蔽するので、効果的な光の遮断が可能であり、また、赤外線カメラ用としては、全閉状態でのキャリブレーションを、羽根３０を均一温度にして精度良く行うことができる。なお、キャリブレーションは、羽根動作装置１を全閉状態にして撮像素子への入光が遮断された状態とし、この状態での撮像素子による撮像画像の輝度が一定となるように撮像素子の感度を設定する。
【００１９】
また、羽根動作装置１は、樹脂製の羽根保持部３１を備えることで、羽根部材３全体の重量を軽くすることができ、所望のシャッター速度を得ることができる。更には、長孔３１Ｂ，３１Ｃの周縁に厚肉部３１Ｄを設けることで、羽根保持部３１の厚さを薄くした場合にも、ガイドピン２Ｂや連結ピン５Ａが係合する長孔３１Ｂ，３１Ｄの強度を維持することができ、所望のシャッター速度を確保しながら、耐久性の高い羽根動作装置１を得ることができる。
【００２０】
図４は、電磁アクチュエータ４の構成例を示している。電磁アクチュエータ４は、支持体４Ａを介してベース部材２に搭載されている。図示の電磁アクチュエータ４は、永久磁石からなるロータ４１と、その周囲に巻き回れたコイル４０とを備える。コイル４０はコイル枠４０Ａに巻回れており、コイル枠４０Ａにロータ４１の回転軸４１Ａが回転自在に軸支されている。コイル枠４０Ａの外周にはヨーク４２が取り付けられている。
【００２１】
コイル４０への通電でロータ４１を回転軸４１Ａ周りに双方向回動させる。ロータ４１は一端位置（例えば、全開位置）と他端位置（例えば、全閉位置）との間が作動角度範囲になっており、その範囲内で正転駆動又は逆転駆動される。ロータ４１には、樹脂モールドで、連結ピン５Ａを備える伝動部材５が一体的に取り付けられている。連結ピン５Ａは、ベース部材の反対側に突出して、ベース面２Ｓ上の羽根部材３における長孔３１Ｃに係合している。
【００２２】
電磁アクチュエータ４は、コイル４０に通電していない無通電状態で、ロータ４１を一端位置と他端位置のどちらか片側、或いは一端位置及び他端位置の両側に保持できる自己保持手段を備えている。具体的には、その自己保持手段は、ロータ４１の永久磁石に対して磁気的な吸引力でロータ４１を一端位置に保持する磁性部材４３と、ロータ４１の永久磁石に対して磁気的な吸引力でロータ４１を他端位置に保持する磁性部材４４を備えている。磁性部材４３，４４の一方のみを具備することで、無通電状態で、ロータ４１を一端位置と他端位置のどちらか片側に保持することができる。磁性部材４３，４４の両方を具備することで、無通電状態で、ロータ４１を一端位置及び他端位置の両側に選択的に保持することができる。
【００２３】
図５は、このような羽根動作装置１を備えるカメラ１００を示している。カメラ１００は、例えば、赤外線カメラの場合は、羽根動作装置１における金属製の羽根３０を全閉状態にして、キャリブレーションを行うことができ、しかも、樹脂製の羽根保持部３１を備えることで、羽根部材３自体を軽量化して、所望のシャッター速度を得ることができる。また、羽根保持部３１は、ガイドピン２Ｂや連結ピン５Ａが係合する長孔３１Ｂ，３１Ｃの周縁に厚肉部３１Ｄを設けているので、羽根保持部３１自体を薄厚にして羽根部材３を軽量化した場合にも、充分な耐久性を得ることができる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２５】
１：羽根動作装置，２：ベース部材，２Ａ：開口，
２Ｂ：ガイドピン，２Ｓ：ベース面，
３（３Ａ，３Ｂ）：羽根部材，３０：羽根，３０Ａ：係合孔，
３１：羽根保持部，３１Ａ：係合突起，
３１Ｂ，３１Ｃ：長孔，３１Ｄ：厚肉部，
４：電磁アクチュエータ，４Ａ：支持体，４０：コイル，４０Ａ：コイル枠，
４１：ロータ，４１Ａ：回転軸，４２：ヨーク，４３，４４：磁性部材，
５：伝動部材，５Ａ：連結ピン，１００：カメラ
【図１】
2017173753.tif 000003
【図２】
2017173753.tif 000004
【図３】
2017173753.tif 000005
【図４】
2017173753.tif 000006
【図５】
2017173753.tif 000007